(57)【特許請求の範囲】
【請求項１】
ワークの出入りとなる搬入出室と、
前記搬入出室と、開閉可能な第１密閉扉を介在させて連設されるガス置換室と、
前記ガス置換室と、開閉可能な第２密閉扉を介在させて連接されるサブゼロ処理室と、
前記ガス置換室と、開閉可能な第３密閉扉を介在させて連接されるテンパー処理室と、
を有し、
前記サブゼロ処理室と前記テンパー処理室との間に前記ガス置換室が介在しており、
前記ガス置換室において、前記ワークが置換ガスでガス置換される、熱処理装置。
【請求項２】
前記ガス置換室に、置換ガスの供給を制御する第１制御部を有する、請求項１に記載の熱処理装置。
【請求項３】
前記第１〜第３密閉扉の内いずれか一の密閉扉が開いた状態である場合に、その他の密閉扉が閉じた状態になるように、前記第１〜第３密閉扉の開閉を制御する開閉制御部を有する、請求項１または２に記載の熱処理装置。
【請求項４】
前記搬入出室と前記ガス置換室との間の第１搬送経路と、前記ガス置換室と前記サブゼロ処理室との間の第２搬送経路と、前記ガス置換室と前記テンパー処理室との間の第３搬送経路とを有し、
前記第１〜第３搬送経路におけるワークの搬送を制御する搬送制御部を有する、請求項１〜３のいずれかに記載の熱処理装置。
【請求項５】
請求項１〜４のいずれか１項に記載の熱処理装置と、
前記熱処理装置のサブゼロ処理室に供給される液体窒素を貯留する液体窒素供給源と、
前記液体窒素供給源から前記サブゼロ処理室へ液体窒素を供給する液体窒素経路と、
第1蒸発器が設けられている第１窒素ガス経路であって、前記液体窒素供給源からの液体窒素が、前記第1蒸発器を経由することで状態変化された窒素ガスを、前記熱処理装置のガス置換室および／またはテンパー処理室へ供給する第１窒素ガス経路と、を有する、熱処理システム。
【請求項６】
前記第１窒素ガス経路に、前記第1蒸発器の後段に圧力調整器が設けられている、請求項５に記載の熱処理システム。
【請求項７】
前記第1蒸発器より上流側で、前記第１窒素ガス経路が前記サブゼロ処理室を通り、当該サブゼロ処理室内の第1窒素ガス経路に熱交換器が設けられている、請求項５または６に記載の熱処理システム。
【請求項８】
第２蒸発器が設けられている第２窒素ガス経路であって、前記液体窒素供給源からの液体窒素が、前記第２蒸発器を経由することで状態変化された窒素ガスを、前記熱処理装置のガス置換室および／またはテンパー処理室へ供給する第２窒素ガス経路と、をさらに有する、請求項５から７のいずれか1項に記載の熱処理システム。
【請求項９】
前記第２窒素ガス経路に、前記第２蒸発器の後段に圧力調整器が設けられている、請求項８に記載の熱処理システム。
【請求項１０】
サブゼロ処理とテンパー処理を含む熱処理が施されるワークの製造方法であって、
前記ワークを搬入出室へ配置するワーク準備工程と、
前記搬入出室から当該搬入出室と連設されたガス置換室へ前記ワークを移動する第１移動工程と、
前記ワークが配置されたガス置換室において、当該ワークを所定ガス雰囲気でガス置換するガス置換工程と、
前記ガス置換室から当該ガス置換室と連設されたサブゼロ処理室へ前記ワークを移動させる第２移動工程と、
前記ワークが配置されたサブゼロ処理室において、当該ワークのサブゼロ処理を行うサブゼロ処理工程と、
前記サブゼロ処理室から当該サブゼロ処理室と連設された、所定ガス雰囲気の前記ガス置換室へ前記ワークを移動させる第３移動工程と、
前記ガス置換室で前記ワークを所定ガス雰囲気下に置くガス雰囲気工程と、
前記ガス置換室から当該ガス置換室と連設されたテンパー処理室へ前記ワークを移動させる第４移動工程と、
前記ワークが配置されたテンパー処理室において、当該ワークをテンパー処理するテンパー処理工程と、
前記テンパー処理室から当該テンパー処理室と連設された前記ガス置換室へ前記ワークを移動させる第５移動工程と、
前記ワークが配置されたガス置換室において、当該ワークを前記テンパー処理におけるテンパー温度よりも低い所定温度まで静置する低温化工程と、
前記ガス置換室から当該ガス置換室と連設された前記搬入出室へ前記ワークを移動させる第６移動工程と、を含むワークの製造方法。
【請求項１１】
前記低温化工程は、前記ワークが配置されたガス置換室において、当該ワークを所定ガス雰囲気かつ当該ワークを前記テンパー処理におけるテンパー温度よりも低い所定温度まで静置する工程である、請求項１０に記載のワークの製造方法。
【請求項１２】
第1のワークに対する前記テンパー処理工程中に、第2のワークに対する前記ガス置換工程を開始し、
第１のワークに対する前記第６移動工程の完了後に、第2のワークに対する第3移動工程を開始する、請求項１０または１１に記載のワークの製造方法。
【発明の詳細な説明】
【技術分野】
【０００１】
本発明は、ワーク（例えば、鉄鋼材）の熱処理に関し、特に、サブゼロ処理とテンパー処理に関する。
【背景技術】
【０００２】
一般に、焼入れした鉄鋼材中の残留オーステナイトをマルテンサイトに変態させるためにサブゼロ処理（ｓｕｂ−ｚｅｒｏ  ｔｒｅａｔｉｎｇ）が行われている。サブゼロ処理は、常温よりも低い温度（通常は０℃以下）に冷却し、その温度で灼熱する熱処理である。このサブゼロ処理の後に、テンパー処理（焼き戻し処理）が行われる。テンパー処理は、靱性の付加、残留応力の除去や軽減、寸法や形状の安定化を目的とする熱処理である。処理対象物である鉄鋼材（「ワーク」と称する。）に応じて、このサブゼロ処理とテンパー処理とが繰り返し行われることがある。
【０００３】
ワークに対し、連続してサブゼロ処理とテンパー処理を行う場合には、サブゼロ処理で所定温度に冷却されたワークをサブゼロ処理室から取り出し、次にテンパー処理を行うテンパー処理室に導入する。しかし、冷却された状態のワークを常温の空気中に取り出すと、ワーク表面に結露が発生することがある。そして、結露が付着した状態のワークに対し、テンパー処理を行うと、ワークに錆が発生することがある。
【０００４】
上記問題を解決する一つの方法として、サブゼロ処理後にサブゼロ処理室において、ワークに対しヒーターで昇温させることによりワークを常温に戻し、結露等が発生しない状態にしてからサブゼロ処理室から取り出し、テンパー処理室へ導入しテンパー処理を行う方法がある。
【０００５】
また、下記特許文献１では単一の処理室において、サブゼロ処理とテンパー処理を実施する構成が記載されている。
【先行技術文献】
【特許文献】
【０００６】
【特許文献１】特開２００８−１６３４４４号公報
【発明の概要】
【発明が解決しようとする課題】
【０００７】
しかしながら、サブゼロ処理室においてヒーターによりワークを常温に戻す方法は、結露を防止し、錆の発生を防ぐ点では有効であるが、サブゼロ処理室にヒーターを設ける必要がある。また、サブゼロ処理室には低温専用の断熱材が使用されている。この低温専用の断熱材は耐熱性の問題により高温下では使用することができない。このため昇温ヒーターの能力を低く抑えなくてはならず、昇温に要する処理時間はサブゼロ処理に要するよりも長時間となっている。このように昇温時間を短縮することには限界があり困難であるため昇温効率が悪く、連続処理したい場合に処理時間を短縮することが困難であった。
【０００８】
また、特許文献１に記載のサブゼロ処理とテンパー処理を一つの処理室で行う方法でも、比較的高温にも対応出来る断熱材を使用していても、断熱材の耐熱性を考慮すると一定程度にヒーター表面の昇温を抑える必要がある。さらに、この一つの処理室で、低温と高温を繰り返し処理することで、低温時に断熱材に水が入り込むことがあり、その結果、断熱材の劣化が発生する。断熱材に水が入り込まないようにするために、処理室の構造を出来るだけ断熱材を貫通させない構造にする必要がある。しかしそのような構造にした場合、処理室としての形状が制限されてしまい、サブゼロ処理を連続的に行うことが難しい。すなわち、そのような構造のサブゼロ処理装置では、バッチ処理は行えるが、連続的に処理を行わせることは困難である。特に、ワークを自動搬送する装置を使用した連続処理には不向きである。
【０００９】
したがって、結露による錆の発生を防止し、高品質な鉄鋼材を短い処理時間で連続的にサブゼロ処理およびテンパー処理する方法が強く望まれている。
【００１０】
本発明の目的は、上記実情に鑑み、サブゼロ処理からテンパー処理に移行する際の結露を防止し、かつ短い処理時間で連続的にサブゼロ処理およびテンパー処理を行える熱処理装置、熱処理方法、熱処理システムを提供することにある。
【課題を解決するための手段】
【００１１】
本発明は、上記課題の少なくとも一部を解決するためになされたものであり、以下の態様または適用例として実現することができる。
【００１２】
本発明の熱処理装置は、
ワーク（例えば鉄鋼材）の出入りとなる搬入出室（搬入出用台を含む）と、
前記搬入出室と、開閉可能な第１密閉扉を介在させて連設されるガス置換室と、
前記ガス置換室と、開閉可能な第２密閉扉を介在させて連設されるサブゼロ処理室と、
前記ガス置換室と、開閉可能な第３密閉扉を介在させて連設されるテンパー処理室と、
を有し、
前記サブゼロ処理室と前記テンパー処理室との間に前記ガス置換室が介在しており、
前記ガス置換室において、前記ワークが置換ガスでガス置換される。
【００１３】
上記発明において、前記サブゼロ処理室から前記テンパー処理室へ前記ワークを直接搬入できず、前記ガス置換室を介して前記サブゼロ処理室から前記テンパー処理室へ前記ワークを搬入する経路を有する。なお、搬入出室は全方位囲まれた部屋でなくともよく、搬入出用台であってもよい。
【００１４】
上記発明において、置換ガスは、主成分として、不活性ガス、ドライエアおよび二酸化炭素の内いずれか１種のガスまたは２種以上の混合ガスから選択されてもよい。
【００１５】
上記不活性ガスとして、例えば、窒素（Ｎ２）、アルゴン（Ａｒ）、ヘリウム（Ｈｅ）が挙げられる。
【００１６】
上記ドライエアは、例えば、露点が−９０〜−１０℃の乾燥空気である。
【００１７】
上記不活性ガスは、ガス置換室からサブゼロ処理室に流入してもよく、またガス置換室からテンパー処理室に流入してもよい。
【００１８】
上記ドライエアおよび二酸化酸素は、ガス置換室からサブゼロ処理室に流入してもよく、また表面酸化が許容されるワークである場合にはガス置換室からテンパー処理室に流入してもよい。
【００１９】
上記発明として、熱処理装置は、前記ガス置換室に、置換ガスの供給を制御する第１制御部を有していてもよい。
上記第１制御部は、さらに、ガス置換室のガス雰囲気を制御してもよい。
上記第１制御部は、さらに、ガス置換室内を所定温度に制御してもよい。
【００２０】
上記発明として、熱処理装置は、前記サブゼロ処理室に、液体窒素の供給を制御する第２制御部を有していてもよい。
上記第２制御部は、さらに、サブゼロ処理室内を所定温度に制御してもよい。
【００２１】
上記発明として、熱処理装置は、前記テンパー処理室に、所定ガスの供給を制御する第３制御部を有していてもよい。
「所定ガス」は、不活性ガス、ドライエアおよび二酸化炭素の内いずれか１種のガスまたは２種以上の混合ガスが挙げられる。
上記第３制御部は、さらに、ガス置換室のガス雰囲気を制御してもよい。
上記第３制御部は、さらに、ガス置換室内を所定温度に制御してもよい。
【００２２】
上記発明の一実施形態として、前記サブゼロ処理室に液体窒素が供給される経路である液体窒素経路と、前記ガス置換室に置換ガスが供給される経路である第１置換ガス経路と、前記テンパー室に置換ガスが供給される経路である第２置換ガス経路とを有していてもよい。
ガスが供給される経路は、所定の配管であってもよい。
【００２３】
上記発明の一実施形態として、熱処理装置は、前記第１〜第３密閉扉の内いずれか一の密閉扉が開いた状態である場合に、その他の密閉扉が閉じた状態になるように、前記第１〜第３密閉扉の開閉を制御する開閉制御部を有する。
【００２４】
上記発明の一実施形態として、熱処理装置は、前記搬入出室と前記ガス置換室との間の第１搬送経路と、前記ガス置換室と前記サブゼロ処理室との間の第２搬送経路と、前記ガス置換室と前記テンパー処理室との間の第３搬送経路とを有し、
前記第１〜第３搬送経路におけるワークの搬送を制御する搬送制御部を有する。
【００２５】
本発明の熱処理システムは、上記に記載の熱処理装置と、
前記熱処理装置のサブゼロ処理室に供給される液体窒素を貯留する液体窒素供給源と、
前記液体窒素供給源から前記サブゼロ処理室へ液体窒素を供給する液体窒素経路と、
第1蒸発器が設けられている第１窒素ガス経路であって、前記液体窒素供給源からの液体窒素が、前記第1蒸発器を経由することで状態変化された窒素ガスを、前記熱処理装置のガス置換室および／またはテンパー処理室へ供給する第１窒素ガス経路と、を有する。
【００２６】
上記発明の一実施形態として、熱処理システムは、前記第１窒素ガス経路に、前記第1蒸発器の後段に圧力調整器が設けられていてもよい。
【００２７】
上記発明の一実施形態として、前記第1蒸発器より上流側で、前記第１窒素ガス経路が前記サブゼロ処理室を通り、当該サブゼロ処理室内の第1窒素ガス経路に熱交換器が設けられていてもよい。
【００２８】
上記発明の一実施形態として、第２蒸発器が設けられている第２窒素ガス経路であって、前記液体窒素供給源からの液体窒素が、前記第２蒸発器を経由することで状態変化された窒素ガスを、前記熱処理装置のガス置換室および／またはテンパー処理室へ供給する第２窒素ガス経路と、をさらに有していてもよい。
【００２９】
上記発明の一実施形態として、熱処理システムは、前記第２窒素ガス経路に、前記第2蒸発器の後段に圧力調整器が設けられていてもよい。
【００３０】
他の発明は、サブゼロ処理とテンパー処理を含む熱処理が施されるワークの製造方法であって、
前記ワークを搬入出室（搬入出用台を含む）へ配置するワーク準備工程と、
前記搬入出室から当該搬入出室と連設されたガス置換室へ前記ワークを移動する第１移動工程と、
前記ワークが配置されたガス置換室において、当該ワークを所定ガス雰囲気でガス置換するガス置換工程と、
前記ガス置換室から当該ガス置換室と連設されたサブゼロ処理室へ前記ワークを移動させる第２移動工程と、
前記ワークが配置されたサブゼロ処理室において、当該ワークのサブゼロ処理を行うサブゼロ処理工程と、
前記サブゼロ処理室から当該サブゼロ処理室と連設された、所定ガス雰囲気の前記ガス置換室へ前記ワークを移動させる第３移動工程と、
前記ガス置換室で前記ワークを所定ガス雰囲気下に置くガス雰囲気工程と、
前記ガス置換室から当該ガス置換室と連設されたテンパー処理室へ前記ワークを移動させる第４移動工程と、
前記ワークが配置されたテンパー処理室において、当該ワークをテンパー処理するテンパー処理工程と、
前記テンパー処理室から当該テンパー処理室と連設された前記ガス置換室へ前記ワークを移動させる第５移動工程と、
前記ワークが配置されたガス置換室において、当該ワークを前記テンパー処理におけるテンパー温度よりも低い所定温度まで静置する低温化工程と、
前記ガス置換室から当該ガス置換室と連設された前記搬入出室へ前記ワークを移動させる第６移動工程と、を含む。
【００３１】
上記発明の熱処理方法において、前記低温化工程は、前記ワークが配置されたガス置換室において、当該ワークを所定ガス雰囲気かつ当該ワークを前記テンパー処理におけるテンパー温度よりも低い所定温度まで静置する工程であってもよい。
【００３２】
上記発明の熱処理方法において、第1のワークに対する前記テンパー処理工程中に、第2のワークに対する前記ガス置換工程を開始し、
第１のワークに対する前記第６移動工程の完了後に、第2のワークに対する第3移動工程を開始してもよい。
【００３３】
上記発明のガス雰囲気工程は、前記ワークが配置されたガス置換室において、当該ワークを所定ガス雰囲気でガス置換する工程であってもよい。
【００３４】
上記発明の熱処理方法は、前記所定ガス雰囲気のガスの主成分が、不活性ガス、ドライエアおよび二酸化炭素の内いずれか１種のガスまたは２種以上の混合ガスから選択されてもよい。
【００３５】
上記発明において、前記ガス置換室における前記所定ガス雰囲気としては、サブゼロ処理前後のワークに対しては、露点が−１０℃以下であり、好ましくは−５０℃以下であり、より好ましくは−８０℃以下であり、さらに好ましくは−１００℃以下である。また、テンパー処理後のワークに対しては、露点が−１０℃以下であり、好ましくは−５０℃以下であり、より好ましくは−８０℃以下であり、さらに好ましくは−１００℃以下である。ガス置換室においてワークを所定ガス雰囲気でガス置換することで、ワークが結露することを生じないようにすることが好ましい。
【発明の効果】
【００３６】
本発明に係る熱処理装置、熱処理方法および熱処理システムによれば、鉄鋼材への結露による錆の発生を防止することができる。サブゼロ処理とテンパー処理を連続的に効率よく実施することができる。
【図面の簡単な説明】
【００３７】
【図１】熱処理装置の構成例および連続処理フロー説明する図である。
【図２】熱処理装置の構成例および連続処理フロー説明する図である。
【図３】熱処理装置の構成例および連続処理フロー説明する図である。
【図４】熱処理装置の構成例および連続処理フロー説明する図である。
【図５】熱処理装置の構成例および連続処理フロー説明する図である。
【図６】熱処理装置の構成例および連続処理フロー説明する図である。
【図７】熱処理装置の構成例および連続処理フロー説明する図である。
【図８】熱処理装置の構成例および連続処理フロー説明する図である。
【図９】熱処理装置の構成例および連続処理フロー説明する図である。
【図１０】熱処理装置の構成例および連続処理フロー説明する図である。
【図１１】熱処理装置の構成例および連続処理フロー説明する図である。
【図１２】熱処理装置の構成例および連続処理フロー説明する図である。
【図１３】熱処理装置の構成例および連続処理フロー説明する図である。
【図１４】熱処理装置の構成例および連続処理フロー説明する図である。
【図１５】熱処理装置の構成例および連続処理フロー説明する図である。
【図１６】熱処理装置の構成例および連続処理フロー説明する図である。
【図１７】熱処理装置の構成例および連続処理フロー説明する図である。
【図１８】熱処理装置の構成例および連続処理フロー説明する図である。
【図１９】熱処理装置の構成例および連続処理フロー説明する図である。
【図２０】熱処理装置の構成例および連続処理フロー説明する図である。
【図２１】熱処理システムを示す説明図である。
【図２２】熱処理装置の別実施例である。
【発明を実施するための形態】
【００３８】
（熱処理装置）
以下において図面を参照しながら、熱処理装置の構成について説明する。以下に説明する実施形態は、本発明の一例を説明するものである。本発明は以下の実施形態になんら限定されるものではなく、本発明の要旨を変更しない範囲において実施される各種の変形形態も含む。なお、以下で説明される構成の全てが本発明の必須の構成であるとは限らない。
【００３９】
図１に示す実施形態の熱処理装置１は、搬入出室１０、ガス置換室２０、サブゼロ処理室３０、テンパー処理室４０を有する。図１において、ガス置換室２０の周りに他室１０、３０、４０が配置されている。より具体的には、ガス置換室２０が中央に設置され、左右にサブゼロ処理室３０、テンパー処理室４０が設置される。すなわちガス置換室２０、サブゼロ処理室３０、テンパー処理室４０が横一列の配置であってもよいが、これに制限されず、例えばＬ字状、上下方向、またはコの字状に配置されていてもよい。図２２にコの字状の一例の配置を示す。
【００４０】
搬入出室１０は、熱処理装置１に対するワーク（例えば鉄鋼材）の出入口の役割であり、ワークの設置治具が設けられている。ワークが載置された状態の設置治具が、各室間を移動する構成である。設置治具を移動させる自動搬送機構（不図示）が設けられている。また、搬入出室１０は、不図示の出入口を有する。搬入出室１０とガス置換室２０とは、開閉可能な第１密閉扉２１を間に配置して連設されている。第１密閉扉２１は、不図示の自動移動機構によって開閉動作をする。それが閉じている状態で、搬入出室１０とガス置換室２０はそれぞれ独立の密閉空間構造であるが、それが開いた状態では、搬入出室１０とガス置換室２０とが一つの連続した空間構造となる。なお、密閉空間構造は、出入口（不図示）および他の密閉扉や他の通気部（例えば、置換ガス導入経路の通気部など）などがすべて閉じた状態である。
【００４１】
ガス置換室２０は、不活性ガス、ドライエアおよび二酸化炭素の内いずれか１種のガスまたは２種以上の混合ガスが充填されガス置換が行われる。本実施形態では、ガス置換室２０に窒素ガスＧ１が充填される。ガス置換室２０に、第１置換ガス経路Ｒ１を通じて、窒素ガスＧ１が供給される。
【００４２】
第１制御部５１は、ガス置換室２０に設置された露点計の計測結果に応じて、ガス置換室２０に供給される窒素ガスＧ１の供給量を制御する。例えば、露点−６０℃以下となるまで、窒素ガスＧ１をガス置換室２０へ供給し、ガス置換室２０を窒素雰囲気にする。また、別実施形態として、第１制御部５１は、ガス置換室２０の窒素雰囲気（微量酸素濃度）を計測するガス計測器（不図示）の計測結果に応じて、窒素ガスＧ１の供給量を制御してもよい。例えば、液体窒素の気化により得られた窒素ガスを使用する場合には、酸素濃度１０重量ｐｐｍ以下となるまで窒素ガスＧ１を供給してもよい。
【００４３】
ガス置換室２０は、その内部ガスを排出する排出部（不図示）を有していてもよい。第１制御部５１は、その排出部（例えば自動仕切弁など）を制御してその内部ガスを排出してもよい。
【００４４】
ガス置換室２０において、サブゼロ処理前にワークに対し所定ガス雰囲気下でガス置換する以外に、サブゼロ処理からテンパー処理へ移行する前に、サブゼロ処理後のワークに対し所定ガス雰囲気下でガス置換をしてもよい。また、ガス置換室２０において、テンパー処理後のワークに対し所定ガス雰囲気下で低温化してもよい。
【００４５】
ガス置換室２０とサブゼロ処理室３０とは、開閉可能な第２密閉扉２２を間に配置して連設されている。第２密閉扉２２は、不図示の自動移動機構によって開閉動作をする。それが閉じている状態で、ガス置換室２０とサブゼロ処置室３０はそれぞれ独立の密閉空間構造であるが、それが開いた状態では、ガス置換室２０とサブゼロ処置室３０とが一つの連続した空間構造となる。なお、密閉空間構造は、他の密閉扉や不図示の通気部（例えば、置換ガス導入経路の通気部など）などがすべて閉じた状態である。
【００４６】
サブゼロ処置室３０は、ワークを所定温度の液体窒素ＬＮでサブゼロ処理する。サブゼロ処理室３０に、液体窒素経路Ｒ１１を通じて液体窒素ＬＮが供給される。サブゼロ処理室内に供給された液体窒素ＬＮにより、ワークが冷却される。
【００４７】
第２制御部５２は、サブゼロ処理室３０に供給される液体窒素ＬＮの供給量を制御する。また、第２制御部５２は、サブゼロ処置室３０の温度を計測する温度検知器（不図示）の検知結果に応じて、液体窒素ＬＮの供給量を制御してもよい。サブゼロ処置室３０は、その内部ガスおよび液体窒素ＬＮを排出する排出部（不図示）を有していてもよい。第２制御部５２は、その排出部（例えば自動仕切弁など）を制御してその内部ガスおよび液体窒素を排出してもよい。
【００４８】
サブゼロ処理室３０には、室内全域を均一温度にするためにファン３２が設置されている。第２制御部５２は、ファン３２を一定の回転数で回転させるように制御してもよく、上記温度検知器の検知結果に応じてモータＭ１を制御し、ファン３２を回転させてもよい。
【００４９】
ガス置換室２０とテンパー処理室４０とは、開閉可能な第３密閉扉２３を間に配置して連設されている。第３密閉扉２３は、不図示の自動移動機構によって開閉動作をする。それが閉じている状態で、ガス置換室２０とテンパー処置室４０はそれぞれ独立の密閉空間構造であるが、それが開いた状態では、ガス置換室２０とテンパー処置室４０とが一つの連続した空間構造となる。なお、密閉空間構造は、他の密閉扉や不図示の通気部（例えば、置換ガス導入経路の通気部など）などがすべて閉じた状態である。
【００５０】
テンパー処置室４０は、ワーク（鉄鋼材）を所定温度でテンパー処理する。テンパー処理室４０は、第２窒素ガス経路Ｒ２を通じて窒素ガスＧ２が供給されて、室内が窒素雰囲気になる。第３制御部５３は、テンパー処置室４０に設置された露点計の計測結果に応じて、テンパー処置室４０に供給される窒素ガスＧ２の供給量を制御する。例えば、露点−６０℃以下となるまで、窒素ガスＧ１をガス置換室２０へ供給し、ガス置換室２０を窒素雰囲気にする。また、第３制御部５３は、テンパー処置室４０の窒素雰囲気（微量酸素濃度）を計測するガス計測器（不図示）の計測結果に応じて、窒素ガスＧ１の供給量を制御してもよい。例えば、液体窒素の気化により得られた窒素ガスを使用する場合には、酸素濃度１０重量ｐｐｍ以下となるまで窒素ガスＧ１を供給してもよい。テンパー処置室４０は、その内部ガスを排出する排出部（不図示）を有していてもよい。第３制御部５３は、その排出部（例えば自動仕切弁など）を制御してその内部ガスを排出してもよい。
【００５１】
テンパー処置室４０には、室内全域を均一温度にするためにファン４２が設置されている。第３制御部５３は、ファン４２を一定の回転数で回転させるように制御してもよく、上記温度検知器の検知結果に応じてモータＭ２を制御し、ファン４２を回転させてもよい。また、第３制御部５３は、上記ガス検知器の検知結果に応じてモータＭ２を制御し、ファン４２を回転させてもよい。
【００５２】
熱処理装置１の開閉制御部５４は、自動移動機構へ指令し、第１〜第３密閉扉２１，２２，２３の開閉を制御する。開閉制御部５４は、第１〜第３密閉扉２１，２２，２３の内いずれか一の密閉扉が開いた状態である場合に、その他の密閉扉が閉じた状態になるように開閉制御する。
【００５３】
熱処理装置１は、搬入出室１０とガス置換室２０との間の第１搬送経路と、ガス置換室２０とサブゼロ処理室３０との間の第２搬送経路と、ガス置換室２０とテンパー処理室４０との間の第３搬送経路とを有する。
【００５４】
熱処理装置１の搬送制御部５５は、第１〜第３搬送経路におけるワークの搬送を制御する。開閉制御部５４と搬送制御部５５とが互いに協動し、搬入出室１０からガス置換室２０へ、ガス置換室２０からサブゼロ処置室３０へ、サブゼロ処置室３０からガス置換室２０へ、ガス置換室２０からテンパー処置室４０へ、テンパー処理室４０からガス置換室２０へ、ガス置換室２０から搬入出室１０へのそれぞれのワークの搬送、および第１〜第３密閉扉２１，２２，２３の開閉を制御する。
【００５５】
（ワークの製造方法）
以下では図１〜図２０を用いてワークの製造方法について説明する。
【００５６】
図１に示すように、第１ワークＷ１が、搬入出室１０の設置治具に載置される（ワーク準備工程）。次いで、図２に示すように、第１密閉扉２１が開き、第１ワークＷ１がガス置換室２０へ搬送される（第１移動工程）。搬送後、第１密閉扉２１が閉じる。
【００５７】
図３に示すように、ガス置換室２０において、第１ワークＷ１が窒素ガスＧ１でガス置換される（ガス置換工程）。第１制御部５１は、ガス置換室２０に設置された露点計の計測結果に応じて、ガス置換室２０に供給される窒素ガスＧ１の供給量を制御する。例えば、露点−６０℃以下となるまで、窒素ガスＧ１をガス置換室２０へ供給し、ガス置換室２０を窒素雰囲気にする。あるいは、第１制御部５１は、ガス置換室２０の窒素雰囲気（微量酸素濃度）を計測するガス計測器（不図示）の計測結果に応じて、窒素ガスＧ１の供給量を制御してもよい。例えば、液体窒素の気化により得られた窒素ガスを使用する場合には、酸素濃度１０重量ｐｐｍ以下となるまで窒素ガスをガス置換室２０へ供給してもよい。ガス置換室２０へ搬送されるワークは、常温であってもよい。次いで、図４に示すように、第２密閉扉２２が開き、第１ワークＷ１がサブゼロ処理室３０へ搬送される（第２移動工程）。搬送後、第２密閉扉２２が閉じる。
【００５８】
図５に示すように、サブゼロ処理室３０において、第１ワークＷ１が所定温度（例えば−５０℃以下）でサブゼロ処理される（サブゼロ処理工程）。サブゼロ処理室３０は、液体窒素ＬＮが供給される。サブゼロ処理が終了後、図６に示すように、第２密閉扉２２が開き、第１ワークＷ１がガス置換室２０へ搬送される（第３移動工程）。搬送後、第２密閉扉２２が閉じる。
【００５９】
図７に示すように、ガス置換室２０において、第１ワークＷ１が窒素ガスＧ１でガス置換される（ガス雰囲気工程）。第１制御部５１は、ガス置換室２０に設置された露点計の計測結果に応じて、ガス置換室２０に供給される窒素ガスＧ１の供給量を制御する。例えば、露点−６０℃以下となるまで、窒素ガスＧ１をガス置換室２０へ供給し、ガス置換室２０を窒素雰囲気にする。あるいは、第１制御部５１は、ガス置換室２０の窒素雰囲気（微量酸素濃度）を計測するガス計測器（不図示）の計測結果に応じて、窒素ガスＧ１の供給量を制御してもよい。例えば、液体窒素の気化により得られた窒素ガスを使用する場合には、酸素濃度１０重量ｐｐｍ以下となるまで窒素ガスがガス置換室２０へ供給されてもよい。ガス置換室２０へ搬送されるワークは、サブゼロ処理後の冷却された状態である。次いで、図８に示すように、第３密閉扉２３が開き、第１ワークＷ１がテンパー処理室４０へ搬送される（第４移動工程）。搬送後、第３密閉扉２３が閉じる。テンパー処理室４０へ搬送されるワークは、ガス置換室２０内の雰囲気温度以下であってもよい。
【００６０】
図９に示すように、テンパー処理室４０において、第１ワークＷ１が所定温度（例えば、１８０℃〜３５０℃）でテンパー処理される（テンパー処理工程）。テンパー処理室４０は、所定の窒素ガス雰囲気に制御される。第３制御部５３は、テンパー処置室４０に設置された露点計の計測結果に応じて、テンパー処置室４０に供給される窒素ガスＧ２の供給量を制御する。例えば、露点−６０℃以下となるまで、窒素ガスＧ１をガス置換室２０へ供給し、ガス置換室２０を窒素雰囲気にする。あるいは、第３制御部５３は、テンパー処置室４０の窒素雰囲気（微量酸素濃度）を計測するガス計測器（不図示）の計測結果に応じて、窒素ガスＧ１の供給量を制御してもよい。例えば、テンパー処理室４０に、液体窒素の気化により得られた窒素ガスを使用する場合には、酸素濃度１０重量ｐｐｍ以下となるまで窒素ガスＧ２が供給されてもよい。
【００６１】
また、図９〜図１２において、次のワークの連続処理を説明する。図９で示すように、第２ワークＷ２が、搬入出室１０の設置治具に載置される（第２ワークに対するワーク準備工程）。次いで、図１０に示すように、第１密閉扉２１が開き、第２ワークＷ２がガス置換室２０へ搬送される。搬送後、第１密閉扉２１が閉じる。次いで、図１１で示すように、第２ワークＷ２に対してガス置換が行われる（第２ワークに対するガス置換工程）。次いで、図１２に示すように、第２密閉扉２２が開き、第２ワークＷ２がガス置換室２０へ搬送される。搬送後、第２密閉扉２２が閉じる。以上の処理は、第１ワークＷ１に対するテンパー処理工程の最中に行われる。
【００６２】
第１ワークＷ１の説明に戻る。図１３に示すように、第３密閉扉２３が開き、第１ワークＷ１がガス置換室２０へ搬送される（第５移動工程）。搬送後、第３密閉扉２３が閉じる。次いで、図１４に示すように、ガス置換室２０において、第１ワークＷ１が所定温度（例えば、１００℃以下）になるまで静置される（低温化工程）。第１ワークＷ１の温度の計測は、ガス置換室２０に設置された非接触温度計でその表面温度を計測してもよい。所定温度までの低温化は、予め設定された時間で静置することでもよい。あるいは、低温化工程は、ガス置換室２０において、第１ワークＷ１が所定ガス雰囲気かつ所定温度（例えば、１００℃以下）になるまで静置される工程であってもよい。かかる場合に、第１制御部５１は、ガス置換室２０に設置された露点計の計測結果に応じて、ガス置換室２０に供給される窒素ガスＧ１の供給量を制御する。例えば、露点−６０℃以下となるまで、窒素ガスＧ１をガス置換室２０へ供給し、ガス置換室２０を窒素雰囲気にする。あるいは、第１制御部５１は、ガス置換室２０の窒素雰囲気（微量酸素濃度）を計測するガス計測器（不図示）の計測結果に応じて、窒素ガスＧ１の供給量を制御してもよい。例えば、液体窒素の気化により得られた窒素ガスを使用する場合には、酸素濃度１０重量ｐｐｍ以下となるまで窒素ガスＧ２が供給されてもよい。
【００６３】
次いで、図１５に示すように、第１密閉扉２１が開き、第１ワークＷ１が搬入出室１０へ搬送される（第６移動工程）。搬送後、第１密閉扉２１が閉じる。
【００６４】
第２ワークＷ２に対するサブゼロ処理が終了後、図１６に示すように、第２密閉扉２２が開き、第２ワークＷ２がガス置換室２０へ搬送される。搬送後、第２密閉扉２２が閉じる。また、このタイミングで第１ワークＷ１が搬入出室１０から取り出されてもよい。
【００６５】
図１７に示すように、ガス置換室２０において、第２ワークＷ２が窒素ガスＧ１でガス置換される（第２ワークに対するガス雰囲気工程）。図１８に示すように、第３密閉扉２３が開き、第２ークＷ２がテンパー処理室４０へ搬送され、搬送後、第３密閉扉２３が閉じる。
【００６６】
また、図１８に示すように、第３ワークＷ３が、搬入出室１０の設置治具に載置される（第３ワークに対するワーク準備工程）。第３ワークＷ３も上記第２ワークＷ２と同様の操作でガス置換、サブゼロ処理、テンパー処理が行われる。
【００６７】
図１９に示すように、テンパー処理室４０において、第２ワークＷ２がテンパー処理される（第２ワークに対するテンパー処理工程）。図２０に示すように、第２ワークＷ２がテンパー処理される間に、第３ワークＷ３がガス置室２０に搬送される。次いで、第３ワークＷ３がガス置換され、次いでサブゼロ室３０に搬送されてサブゼロ処理される。第３ワークＷ３がサブゼロ処理されている間に、第２ワークＷ２がガス置換室２０で低温化後、搬入出１０へ搬送される。上記の説明の通り、後続のワークが連続的に処理される。
【００６８】
以上の熱処理方法によれば、サブゼロ処理とテンパー処理とからなるバッチ処理において、テンパー処理中に次のワークに対しガス置換処理およびサブゼロ処理ができ、サブゼロ処理中に直前のワークに対しテンパー処理および低温化処理ができるため、連続多量処理における全体の処理時間を大幅に短縮できる。
【００６９】
（熱処理システム）
以下において図２１を参照しながら、熱処理システム１００の構成について説明する。熱処理システム１００は、上記の熱処理装置１を有する。熱処理システム１００は、熱処理装置１のサブゼロ処理室３０に供給される液体窒素ＬＮを貯留する液体窒素供給源８０と、液体窒素供給源８０からサブゼロ処理室３０へ液体窒素ＬＮを供給する液体窒素経路Ｒ１１と、サブゼロ処理室３０内の熱交換器３４と、第１蒸発器８１、第１圧力調整器８２がこの順に設けられている第１窒素ガス経路Ｒ１２と、第２蒸発器８３、第２圧力調整器８４が設けられている第２窒素ガス経路Ｒ１３とを有する。第１、第２蒸発器８１、８３は、窒素ガスの温度を所定温度（例えば大気温度）に調整する機能を有する。第１、第２圧力調整器８２、８４は、それよりも後段に対する窒素ガスの供給圧力を制御する。第１、第２圧力調整器８２、８４よりも後段に窒素ガスの供給量を制御する自動仕切弁が設けられていてもよい。
【００７０】
第１窒素ガス経路Ｒ１２は、液体窒素供給源８０からの液体窒素ＬＮが、熱交換器３４、第１蒸発器５１を経由することで状態変化された窒素ガスを、熱処理装置１のガス置換室２０およびテンパー処理室３０へ供給するための経路である。
【００７１】
熱交換器３４は、サブゼロ処理室３０内に設置され、液体窒素ＬＮが流通されることによりサブゼロ処理室３０内を冷却する。サブゼロ処理室３０は、液体窒素ＬＮが流通された熱交換器３４により冷却されて、サブゼロ処理中においても室内の冷却状態が維持される。これにより、液体窒素ＬＮを直接噴射させることでワークを冷却させることに加え、サブゼロ処理室３０内の冷却状態をも同時に維持させることで、ワークに対するサブゼロ処理を効果的に行わせることができる。さらに、液体窒素LNの冷熱の有効利用となる。
【００７２】
熱交換器３４を通過する際に、液体窒素ＬＮの一部は気化して窒素ガスとなる。気液混合状態の液体窒素ＬＮは、サブゼロ処理室３０の後段に設けられた第１蒸発器８１へ導入され、完全に気化する。気化した窒素ガスは、第１圧力調整器８２により所定の圧力（第１圧力Ｐ１）に調整され、ガス置換室２０およびテンパー処理室４０へ供給される。気化した窒素ガスは、ガス置換室２０およびテンパー処理室４０の窒素ガスパージ用ガスとして使用される。
【００７３】
第２窒素ガス経路Ｒ１３は、液体窒素供給源８０からの液体窒素ＬＮが、第２蒸発器８３を経由することで状態変化された窒素ガスを、熱処理装置１のガス置換室２０およびテンパー処理室３０へ供給するための経路である。
【００７４】
ガス置換室２０およびテンパー処理室４０へ窒素ガスパージをする際に、熱交換器３４を経由した液体窒素ＬＮの気化により得られた窒素ガス量が不足する場合がある。かかる場合に、液体窒素供給源８０（例えば、液体窒素貯蔵タンク）から液体窒素ＬＮを第２窒素ガス流路Ｒ１３を通じて、第２蒸発器８３に供給して気化させる。気化した窒素ガスは、その圧力が第２圧力調整器８４で所定の圧力（第２圧力Ｐ２）に調整され、ガス置換室２０およびテンパー処理室４０へ供給される。
【００７５】
図２１において、第１圧力調整器８２より後段の第１窒素ガス経路Ｒ１２と第２圧力調整器８４より後段の第２窒素ガス経路Ｒ１３とが合流している。第２圧力Ｐ２を第１圧力Ｐ１よりも低く設定することにより、第１圧力調整器８２を通じて供給される窒素ガス量が不足する場合に、第２圧力調整器８４を通じて窒素ガスを供給することができる。
【００７６】
なお、図２１において、第１圧力調整器８２より後段の第１窒素ガス経路Ｒ１２と第２圧力調整器８４より後段の第２窒素ガス経路Ｒ１３とが合流しているが、合流せずにそれぞれ別ラインで、第１置換ガス経路Ｒ１，第２置換ガス経路Ｒ２へ接続されていてもよい。かかる場合に、第１、第２窒素ガス経路Ｒ１２、１３の両方からガス置換室２０およびテンパー処理室４０へ窒素ガスが供給されてもよく、いずれか一方から供給されてもよい。第１、第２窒素ガス経路Ｒ１２、１３に、仕切弁が設けられていて、供給制御を行ってもよい。液体窒素経路Ｒ１１、第１、第２窒素ガス経路Ｒ１２、１３、第１置換ガス経路Ｒ１，第２置換ガス経路Ｒ２は、所定の配管であってもよい。
【００７７】
以上によれば、サブゼロ処理室へのワーク（例えば鉄鋼材）導入前にガス置換室を設けたことにより、サブゼロ処理室への空気、湿気の侵入を阻止し、サブゼロ処理室内への氷の付着が低減される。このため付着した氷の除去のためのダウンタイムが削減される。また、サブゼロ処理後、テンパー処理前にガス置換室を設けたことによりテンパー処理時に錆の発生要因となる結露の排除が可能となる。また、サブゼロ処理室内でのワークの昇温工程が不要となる。サブゼロ処理室における昇温工程が不要となることで、サブゼロ処理室を常温に戻す必要がなくなり、サブゼロ処理室が定常的に低温に維持されることにより冷却所要時間を短縮できる。
【００７８】
サブゼロ処理室とテンパー処理室を分離することにより、従来のサブゼロテンパー一体型装置では使用することが困難であった、テンパー処理室で要求される強力な熱処理に適したヒーターをテンパー処理室に使用することができるようになり、テンパー処理時間を短縮することができる。また、テンパー処理実施中に後続のワークのガス置換（例えば窒素置換）とサブゼロ処理を開始することが可能となり、連続サブゼロテンパー処理が可能となった。
【００７９】
また、本実施形態では、サブゼロ処理室の冷却に使用した液体窒素をガス置換室およびテンパー処理室のパージ用窒素ガスとして再利用する。液体窒素を流通させる熱交換器３４を冷熱源として用いることにより、サブゼロ処理室の冷却装置を補助することができる。
【００８０】
また、別実施形態として、熱処理システム１００は、サブゼロ処理室３０内の熱交換器３４と、第１蒸発器８１、第１圧力調整器８２がこの順に設けられている第１窒素ガス経路Ｒ１２とが、省略された構成であってもよい。また、熱処理システム１００は、第２蒸発器８３、第２圧力調整器８４が設けられている第２窒素ガス経路Ｒ１３とが、省略された構成であってもよい。
【符号の説明】
【００８１】
１      熱処理装置
１０    搬入出室
２０    ガス置換室
２１    第１密閉扉
２２    第２密閉扉
２３    第３密閉扉
３０    サブゼロ処理室
３４    熱交換器
４０    テンパー処理室
５１    第１制御部
５２    第２制御部
５３    第３制御部
５４    開閉制御部
５５    搬送制御部
８０    液体窒素供給源
８１    第１蒸発器
８２    第１圧力調整器
８３    第２蒸発器
８４    第２圧力調整器
【図１】
0006552972.tif 000002
【図２】
0006552972.tif 000003
【図３】
0006552972.tif 000004
【図４】
0006552972.tif 000005
【図５】
0006552972.tif 000006
【図６】
0006552972.tif 000007
【図７】
0006552972.tif 000008
【図８】
0006552972.tif 000009
【図９】
0006552972.tif 000010
【図１０】
0006552972.tif 000011
【図１１】
0006552972.tif 000012
【図１２】
0006552972.tif 000013
【図１３】
0006552972.tif 000014
【図１４】
0006552972.tif 000015
【図１５】
0006552972.tif 000016
【図１６】
0006552972.tif 000017
【図１７】
0006552972.tif 000018
【図１８】
0006552972.tif 000019
【図１９】
0006552972.tif 000020
【図２０】
0006552972.tif 000021
【図２１】
0006552972.tif 000022
【図２２】
0006552972.tif 000023